(57)【要約】【課題】会議への第三者の出席を効率的に発見できる顔認証会議システムを提供する。【解決手段】顔認証会議システムは、会議の出席者の顔を撮像する撮像部と、顔写真データを格納するサーバから読み出した会議出席者予定の顔写真データのファイル名を含む会議出席予定者情報を格納する出席簿ファイルと、撮像部によって撮像した会議出席者の顔に該当する顔写真が、出席簿ファイルが格納するファイル名の顔写真データにないと判定した場合、アラームを発報する制御部を備えるパソコンと、を備える。【選択図】図６
2015099537.tif 000002
【特許請求の範囲】
【請求項１】
会議の出席者の顔を撮像する撮像部と、
顔写真データを格納するサーバから読み出した会議出席者予定の顔写真データのファイル名を含む会議出席予定者情報を格納する出席簿ファイルと、
前記撮像部によって撮像した会議出席者の顔に該当する顔写真が、前記出席簿ファイルが格納するファイル名の顔写真データにないと判定した場合、アラームを発報する制御部を備えるパソコンと、
を備える顔認証会議システム。
【請求項２】
前記制御部は、
前記撮像部によって撮像した会議出席者の顔に該当する顔写真が、前記出席簿ファイルが格納するファイル名の顔写真データにないかどうかを顔認識アルゴリズムによって判定する請求項１記載の顔認証会議システム。
【請求項３】
会議に出席した者を記載した出席記録を出力するプリンタをさらに備える請求項２に記載の顔認証会議システム。
【請求項４】
会議の出席者の顔を撮像する撮像部を備える電子黒板と、
顔写真データを格納するサーバから読み出した会議出席者予定の顔写真データのファイル名を含む会議出席予定者情報を格納する出席簿ファイルと、
前記撮像部によって撮像した会議出席者の顔に該当する顔写真が、前記出席簿ファイルが格納するファイル名の顔写真データにないと判定した場合、アラームを発報する制御部を備えるパソコンと、
を備える顔認証会議システム。
【請求項５】
会議に出席した者を記載した出席記録を出力するプリンタをさらに備える請求項４に記載の顔認証会議システム。
【請求項６】
前記制御部は、
出席記録を出力するように指示された場合、前記電子黒板に会議出席者に関する情報及び筆記面に筆記された文字または図をプリントさせる請求項５記載の顔認証会議システム。
【発明の詳細な説明】
【技術分野】
【０００１】
本発明の実施形態は、顔認証会議システムに関する。
【背景技術】
【０００２】
機密情報を扱う会議に関係者以外の者が出席することはセキュリティー上問題がある。従来は、身分証明書等によって人間が目視確認を行うことによって第三者の会議への出席を阻止してきた。
【０００３】
しかし、出席者が互いに見知らぬ者である場合、第三者が会議の場に入り込む可能性は依然としてある。
【０００４】
この点に関し、出席者の顔を顔認識アルゴリズムによって判定し、出席者の人数を計数して配布資料の印刷部数を決定するシステムが提案されている。
【０００５】
しかし、このシステムによっても第三者が会議に入り込むことを阻止できない。
【先行技術文献】
【特許文献】
【０００６】
【特許文献１】特開２０１０−７４６８３号公報
【発明の概要】
【発明が解決しようとする課題】
【０００７】
本発明の実施形態が解決しようとする課題は、会議への第三者の出席を効率的に発見できる顔認証会議システムを提供することである。
【課題を解決するための手段】
【０００８】
上記の課題を解決するために、会議の出席者の顔を撮像する撮像部と、顔写真データを格納するサーバから読み出した会議出席者予定の顔写真データのファイル名を含む会議出席予定者情報を格納する出席簿ファイルと、撮像部によって撮像した会議出席者の顔に該当する顔写真が、出席簿ファイルが格納するファイル名の顔写真データにないと判定した場合、アラームを発報する制御部を備えるパソコンと、を備える顔認証会議システムを提供する。
【図面の簡単な説明】
【０００９】
【図１】撮像部を有する電子黒板の外観斜視図である。
【図２】図１におけるＡＡ線断面図である。
【図３】第１の実施形態の顔認証会議システムの構成を示すブロック図である。
【図４】出席簿ファイルのデータ構成を示す図である。
【図５】パソコンが出力する会議出席記録の例を示す図である。
【図６】第１の実施形態の顔認証会議システムの動作を示すフローチャートである。
【図７】第２の実施形態の顔認証会議システムの構成を示すブロック図である。
【図８】パソコンの指示により電子黒板が出力する会議出席記録の例を示す図である。
【発明を実施するための形態】
【００１０】
以下、顔認証会議システムの一実施形態について、図面を用いて詳細に説明する。
【００１１】
本実施形態の顔認証会議システムは、会議の出席者の顔を撮像する撮像部と、少なくとも顔写真データを格納するサーバから読み出した会議出席者予定の顔写真データのファイル名を含む会議出席予定者情報を格納する出席簿ファイル、及び撮像部によって撮像した会議出席者の顔に該当する顔写真が、出席簿ファイルが格納するファイル名の顔写真データにないと判定した場合、アラームを発報する制御部を備えるパソコンと、を備える。
【００１２】
図１は、顔認証会議システムに用いられる撮像部１０１を有する電子黒板１の外観斜視図である。図１に示すように、電子黒板１は、筆記した画像を担持する筆記面１１と、電源スイッチ１２と、タッチパネル、各種スイッチなどの情報を入出力する装置である入出力部１３と、外部機器との通信を行う通信ポート１４と、記録媒体に画像形成するプリンタ１５と、会議への出席者の顔を撮像する撮像部１０１と、を備える。
【００１３】
筆記面１１は、シート状でも板状でもよい。板状の場合、撮像部２７は筆記面１１を移動しながら撮像する。以下、筆記面１１がシート状の場合を例に説明する。
【００１４】
入出力部１３は、タッチパネルであることが操作性の面で優れているが、スイッチ類をもちいて構成してもよい。以下、入出力部１３がタッチパネルである場合を例に説明する。
【００１５】
通信ポート１４は、例えばＵＳＢ（Ｕｎｉｖｅｒｓａｌ  Ｓｅｒｉａｌ  Ｂｕｓ）を採用することができるが、これに限られるものではない。
【００１６】
撮像部１０１は、カメラと、通信を行う通信部と、を備え、電子黒板１の出席者に面する部位、例えば筆記面１１の上端部に設置される。撮像部１０１は、電子黒板１と一体に形成されていても、着脱可能な別体として形成されていてもよい。
【００１７】
図２は、図１におけるＡＡ線断面図である。図２に示すように、電子黒板１は、無端状のシートにより形成される筆記面１１と、筆記面１１を回転させる駆動ローラ２１及び従動ローラ２２と、筆記面１１に光を照射するライト２４と、筆記面１１が反射したライト２４により照射された光を反射するミラー２５と、反射した光を集光するレンズ２６と、集光された光を電気信号に変換するＣＣＤ(Ｃｈａｒｇｅ  Ｃｏｕｐｌｅｄ  Ｄｅｖｉｃｅ)センサなどの撮像センサ２７と、を備える。撮像部２７は、モノクロセンサであってもカラーセンサであってもよい。
【００１８】
電子黒板１は、入出力部１３から印刷指示がなされると、ライト２４を点灯し、駆動ローラ２１を駆動させて筆記面１１を回転させる。
【００１９】
電子黒板１は集光された反射光を順次電気信号に変え、２値化して筆記面画像データを生成する。
【００２０】
（第１の実施形態）
図３は、本実施形態の顔認証会議システムの構成を示すブロック図である。図３に示すように、顔認証会議システムは、撮像部１０１と、顔認証を行うコンピュータであるパソコン２と、従業員情報を格納するサーバ３と、を備える。従業員情報は、従業員及び会議出席予定者の顔を含む。
【００２１】
パソコン２は、演算装置であるＣＰＵ（Ｃｅｎｔｒａｌ  Ｐｒｏｃｅｓｓｉｎｇ  ｕｉｔ）を含む制御部２０１と、メモリ、ハードディスクドライブなどの記憶装置を含む記憶部２０２と、通信を行う通信部２０３と、を備える。
【００２２】
パソコン２はさらに、キーボード、ディスプレイ、マウス等の入出力部を備える。
【００２３】
記憶部２０２は、顔写真を含む会議への出席者に関する情報を格納する出席簿ファイル２０２Ａを格納する。
【００２４】
通信部２０３は、撮像部１０１及びサーバ３と通信を行う。
【００２５】
サーバ３は、演算装置であるＣＰＵを含む制御部３０１と、メモリ、ハードディスクドライブなどの記憶装置を含む記憶部３０２と、通信を行う通信部３０３と、を備える。
【００２６】
記憶部３０２は、従業員及び会議出席予定者に関する情報を格納する従業員マスタ３０２Ａを格納する。従業員及び会議出席予定者に関する情報は、顔写真、従業員に固有に割り当てられるＩＤ  Ｎｏ．、氏名、所属などを含む。
【００２７】
なお、従業員以外の会議出席予定者の情報は、サーバ３の従業員マスタ３０２Ａに登録しても、直接にパソコン２の出席簿ファイルに２０２Ａに登録してもよい。
【００２８】
図４は、出席簿ファイル２０２Ａのデータ構成を示す図である。図４に示すように、出席簿ファイル２０２Ａは、従業員に固有に割り当てられる「ＩＤ  Ｎｏ．」と、会議出席予定の者の「氏名」と、会議出席予定の者の「所属」と、会議出席予定の者の顔写真データへのファイル名を示す「顔写真」と、会議への出欠を示す「出欠」と、を格納する。
【００２９】
具体的なデータの例は、ＩＤ  Ｎｏ．が「１０１２３」、氏名が「○山△男」、所属が「開発１課」、顔写真が「１０１２３．ｊｐｇ」、出欠が「出」である。
【００３０】
パソコン２は、まず会議への出席予定者の氏名、所属乃至ＩＤ  Ｎｏ．を入出力部から入力する。
【００３１】
パソコン２は、サーバ３の従業員マスタ３０２Ａを従業員の氏名、所属乃至ＩＤ  Ｎｏ．に基づいて検索し、会議への出席予定者の顔写真のデータファイルを読み出し、読み出したデータファイルを記憶部２０２に格納する。パソコン２は、読み出した顔写真のデータファイルのファイル名を出席簿ファイル２０２Ａの顔写真に格納する。
【００３２】
なお、出欠のデータは、当初全て「欠」となっている。
【００３３】
図５は、パソコン２がパソコン２に接続されるプリンタから出力する会議出席記録の例を示す図である。図５に示すように、パソコン２は、会議に出席した者及び欠席した者をそれぞれまとめて出力する。
【００３４】
会議への出欠の確認は、撮像部１０１が撮像した出席者の顔の画像と、出席簿ファイル２０２Ａにファイル名が格納されている顔写真とを比較して顔認識アルゴリズムによって判定する。顔認識アルゴリズムは、公知の物を適宜選択して使用できる。
【００３５】
図６は、顔認証会議システムの動作を示すフローチャートである。ユーザーは、会議への出席予定者の氏名、所属乃至ＩＤ  Ｎｏ．をパソコン２の入出力部から入力する。
【００３６】
パソコン２から会議への出席予定者の氏名、所属乃至ＩＤ  Ｎｏ．が入力されると、ステップ６０１において、パソコン２の制御部２０１は、サーバ３の従業員マスタ３０２Ａを従業員の氏名、所属乃至ＩＤ  Ｎｏ．に基づいて検索し、会議への出席予定者の顔写真のデータファイルを抽出して読み出す。
【００３７】
ステップ６０２において、パソコン２の制御部２０１は、入力した会議出席予定者に関する情報及び読み出した顔写真データを記憶部２０２に格納する。パソコン２は、読み出した顔写真のデータファイルのファイル名を出席簿ファイル２０２Ａの顔写真に格納する。
【００３８】
ステップ６０３において、パソコン２の制御部２０１は出席確認の指示が入力されたかを判定する。パソコン２は、出席確認の指示が入力されたと判定した場合ステップ６０４に進み、入力されたと判定しない場合、ステップ６０３に戻る。
【００３９】
ステップ６０４において、パソコン２の制御部２０１は撮像部１０１によって会議出席者の顔を撮像し、記憶部２０２に一時的に格納する。
【００４０】
ステップ６０５において、パソコン２の制御部２０１は、撮像した出席者の顔を一人ずつ顔認識する。すなわち、パソコン２の制御部２０１は撮像した出席者の顔の特徴量を一人ずつ抽出する。
【００４１】
ステップ６０６において、パソコン２の制御部２０１は出席予定者の顔写真から抽出した特徴量と、撮像した出席者の顔の特徴量とを比較する。
【００４２】
ステップ６０７において、パソコン２の制御部２０１は、撮像した出席者の顔と特徴量の差が閾値以下の該当者があるかを判定する。パソコン２の制御部２０１は、出席簿ファイル２０２Ａに該当者があると判定した場合、ステップ６０８に進み、該当者がいないと判定した場合ステップ６１１に進む。
【００４３】
ステップ６０８において、パソコン２の制御部２０１は出欠フラグに「出」を格納する。
【００４４】
ステップ６０９において、パソコン２の制御部２０１は出席記録のプリント指示があるかを判定する。パソコン２の制御部２０１は、出席記録のプリント指示があると判定した場合、ステップ６１０に進み、プリント指示がないと判定した場合、ステップ６０３に戻る。
【００４５】
ステップ６１０において、パソコン２の制御部２０１は出席記録をプリンタから出力する。
【００４６】
ステップ６１１において、パソコン２の制御部２０１はアラームを発報する。
【００４７】
以上述べたように、本実施形態の顔認証会議システムは、会議の出席者の顔を撮像する撮像部１０１と、従業員及び会議出席予定者の顔を含む従業員情報を格納するサーバ３と、サーバ３から読み出した会議出席者予定の顔写真データのファイル名を含む会議出席予定者情報を格納する出席簿ファイル２０２Ａ、及び撮像部１０１によって撮像した会議出席者の顔に該当する顔写真が、出席簿ファイル２０２Ａが格納するファイル名の顔写真データにないと判定した場合、アラームを発報する制御部２０１を備えるパソコン２と、を備える。
【００４８】
従って、互いに見知らぬ者が会議に出席する場合でも、第三者がまぎれ込むことを阻止することができるという効果がある。
【００４９】
（第２の実施形態）
図７は、顔認証会議システムの構成を示すブロック図である。図７に示すように、顔認証会議システムは、撮像部１０１を備える電子黒板１と、顔認証を行うコンピュータであるパソコン２と、従業員及び会議出席予定者の顔を含む従業員情報を格納するサーバ３と、を備える。
【００５０】
電子黒板１は、演算装置であるＣＰＵを含む制御部１１０と、メモリ、ハードディスクドライブなどの記憶装置を含む記憶部１０２と、通信を行う通信部１０３と、記録媒体に画像形成する画像形成部１０４と、ライト２４を駆動させる照明駆動部１０５と、筆記面１１を回転させる筆記部駆動部１０６と、会議の出席者の顔を撮像する撮像部１０１と、を備える。
【００５１】
パソコン２は、演算装置であるＣＰＵを含む制御部２０１と、メモリ、ハードディスクドライブなどの記憶装置を含む記憶部２０２と、通信を行う通信部２０３と、を備える。
【００５２】
パソコン２はさらに、キーボード、ディスプレイ、マウス等の入出力部を備える。
【００５３】
記憶部２０２は、顔写真を含む会議への出席者に関する情報を格納する出席簿ファイル２０２Ａを格納する。
【００５４】
通信部２０３は、撮像部１０１及びサーバ３と通信を行う。
【００５５】
サーバ３は、演算装置であるＣＰＵを含む制御部３０１と、メモリ、ハードディスクドライブなどの記憶装置を含む記憶部３０２と、通信を行う通信部３０３と、を備える。
【００５６】
記憶部３０２は、顔写真、従業員に固有に割り当てられるＩＤ  Ｎｏ．、氏名、所属などを含む従業員及び会議出席予定者に関する情報を格納する従業員マスタ３０２Ａを格納する。
【００５７】
なお、従業員以外の会議出席予定者の情報は、サーバ３の従業員マスタ３０２Ａに登録しても、直接にパソコン２の出席簿ファイルに２０２Ａに登録してもよい。
【００５８】
出席簿ファイル２０２Ａのデータ構成は第１の実施形態の出席簿ファイル２０２Ａのデータ構成と同様である。
【００５９】
ユーザーは、会議への出席予定者の氏名、所属乃至ＩＤ  Ｎｏ．をパソコン２の入出力部から入力する。
【００６０】
パソコン２の制御部２０１は、サーバ３の従業員マスタ３０２Ａを従業員の氏名、所属乃至ＩＤ  Ｎｏ．に基づいて検索し、会議への出席予定者の顔写真のデータファイルを読み出し、記憶部２０２に格納する。パソコン２の制御部２０１は、読み出した顔写真のデータファイルのファイル名を出席簿ファイル２０２Ａの顔写真に格納する。
【００６１】
なお、出欠のデータは、当初全て「欠」となっている。
【００６２】
図８は、パソコン２の制御部２０１の指示により電子黒板１が出力する会議出席記録の例を示す図である。図８に示すように、電子黒板１は、パソコン２の制御部２０１の指示に基づいて会議に出席した者及び欠席した者をそれぞれまとめて、筆記面１１に筆記された文字又は図とともに出力する。
【００６３】
会議への出欠の確認は、撮像部１０１が撮像した出席者の顔の画像と、出席簿ファイル２０２Ａにファイル名が格納されている顔写真とを比較して顔認識アルゴリズムによって判定する。顔認識アルゴリズムは、公知の物を適宜選択して使用できる。
【００６４】
顔認証会議システムの動作を示すフローチャートは図６と同様であるため、図６を用いて説明する。
【００６５】
図６に示すように、ユーザーは、会議への出席予定者の氏名、所属乃至ＩＤ  Ｎｏ．をパソコン２の入出力部から入力する。
【００６６】
パソコン２から会議への出席予定者の氏名、所属乃至ＩＤ  Ｎｏ．が入力されると、ステップ６０１において、パソコン２の制御部２０１は、サーバ３の従業員マスタ３０２Ａを従業員の氏名、所属乃至ＩＤ  Ｎｏ．に基づいて検索し、会議への出席予定者の顔写真のデータファイルを抽出して読み出す。
【００６７】
ステップ６０２において、パソコン２の制御部２０１は、入力した会議出席予定者に関する情報及び読み出した顔写真データを記憶部２０２に格納する。パソコン２は、読み出した顔写真のデータファイルのファイル名を出席簿ファイル２０２Ａの顔写真に格納する。
【００６８】
ステップ６０３において、パソコン２の制御部２０１は出席確認の指示が入力されたかを判定する。パソコン２は、出席確認の指示が入力されたと判定した場合ステップ６０４に進み、入力されたと判定しない場合、ステップ６０３に戻る。
【００６９】
ステップ６０４において、パソコン２の制御部２０１は電子黒板１が備える撮像部１０１によって会議出席者の顔を撮像し、記憶部２０２に一時的に格納する。
【００７０】
ステップ６０５において、パソコン２の制御部２０１は、撮像した出席者の顔を一人ずつ顔認識する。すなわち、パソコン２の制御部２０１は撮像した出席者の顔の特徴量を一人ずつ抽出する。
【００７１】
ステップ６０６において、パソコン２の制御部２０１は出席予定者の顔写真から抽出した特徴量と、撮像した出席者の顔の特徴量とを比較する。
【００７２】
ステップ６０７において、パソコン２の制御部２０１は、撮像した出席者の顔と特徴量の差が閾値以下の該当者があるかを判定する。パソコン２の制御部２０１は、出席簿ファイル２０２Ａに該当者があると判定した場合、ステップ６０８に進み、該当者がいないと判定した場合ステップ６１１に進む。
【００７３】
ステップ６０８において、パソコン２の制御部２０１は出欠フラグに「出」を格納する。
【００７４】
ステップ６０９において、パソコン２の制御部２０１は出席記録のプリント指示があるかを判定する。パソコン２の制御部２０１は、出席記録のプリント指示があると判定した場合、ステップ６１０に進み、プリント指示がないと判定した場合、ステップ６０３に戻る。
【００７５】
ステップ６１０において、パソコン２の制御部２０１は電子黒板１に出席記録を出力するように指示する。電子黒板１は、この指示を受けて出席記録を筆記面１１の記載された文字及び図とともにプリンタから出力する。
【００７６】
ステップ６１１において、パソコン２はアラームを発報する。
【００７７】
以上述べたように、本実施形態の顔認証会議システムは、会議の出席者の顔を撮像する撮像部１０１を備える電子黒板１と、従業員及び会議出席予定者の顔を含む従業員情報を格納するサーバ３と、サーバ３から読み出した会議出席者予定の顔写真データのファイル名を含む会議出席予定者情報を格納する出席簿ファイル２０２Ａ、及び撮像部１０１によって撮像した会議出席者の顔に該当する顔写真が、出席簿ファイル２０２Ａが格納するファイル名の顔写真データにないと判定した場合、アラームを発報し、出席記録を出力するように指示された場合、電子黒板１に会議出席者に関する情報及び筆記面１１に筆記された文字または図をプリントさせる制御部２０１を備えるパソコン２と、を備える。
【００７８】
従って、互いに見知らぬ者が会議に出席する場合でも、第三者がまぎれ込むことを阻止することができるとともに、筆記面１１の文字または図とともに出席記録を出力できるという効果がある。
【００７９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１：電子黒板
２：パソコン
３：サーバ
１１：筆記面
１３：入出力部
１４：通信ポート
１５：プリンタ
１０１：撮像部
【図１】
2015099537.tif 000003
【図２】
2015099537.tif 000004
【図３】
2015099537.tif 000005
【図４】
2015099537.tif 000006
【図５】
2015099537.tif 000007
【図６】
2015099537.tif 000008
【図７】
2015099537.tif 000009
【図８】
2015099537.tif 000010